(57)【要約】      （修正有）【課題】攪拌時の材料抵抗を軽減し、可塑性材料を余すところなく掻き出して掬い取ることができる左官用ヘラを提供する。【解決手段】略半円形または略半楕円形の左右両頂部を直線で接続した形状であるへら板の直線部を略半円形にして、かつ、把柄取付部と略半円形であるへら板先端の間の把柄取付部から約４分の１の箇所を始点として、へら板先端へ掛けて板の厚みが漸進的に薄くなるよう、へら板に研磨を施す。【選択図】図６
0003171455.tif 000002
【実用新案登録請求の範囲】
【請求項１】
従来の略半円形または略半楕円形の左右両頂部を直線で接続した形状であるへら板を、該直線部を略半円形の形状にして、かつ、把柄取付部と略半円形であるへら板先端の間の把柄取付部から約４分の１の箇所を始点として、へら板先端へ掛けてへら板の厚みが漸進的に薄くなるよう、へら板に研磨を施したことを特徴とする左官用へら。
【考案の詳細な説明】
【技術分野】
【０００１】  本考案は、塗り壁材、モルタルおよびパテ等の可塑性材料を攪拌し、さらに円筒形容器から掬い取る左官用へらに関するものである。
【背景技術】
【０００２】  可塑性材料を攪拌したり、円筒形容器から掬い取る、従来の左官用道具として、鏝板の形状が略二等辺三角形のブロック鏝および略ハート形のレンガ鏝ならびにへら板の形状が略半円形または略半楕円形で、左右両頂部を直線で接続した形状のへらがある。
【先行技術文献】
【特許文献】
【０００３】
【特許文献１】  意匠登録第１１４９６１６号
【考案の概要】
【考案が解決しようとする課題】
【０００４】  漆喰、珪藻土および聚楽等の塗り壁材、モルタルならびにパテ等を攪拌する場合に、図３に示すような従来のへら板の形状が略半円形または略半楕円形で、左右両頂部を直線で接続した形状のへらで攪拌した場合、へら板の大半が刃先に掛けて漸進的に薄くなっているため、把柄から最も遠いへら板両端角部の材料抵抗が大きくなり混ぜ難い。
また、攪拌した可塑性材料を例えばペール缶などの円筒形容器から掬い取る場合、ブロック鏝の鏝板の形状は、図１に示すように略二等辺三角形であり、レンガ鏝の鏝板の形状は図２に示すように略ハート形であるが、可塑性材料が円筒形容器内に豊富に入った状況では鏝板の形状にかかわらず容易に掬い取れる。【０００５】  しかしながら、可塑性材料を概ね掬い取った状況において、円筒形容器の底部のふち付近に溜まった可塑性材料を掬い取る場合、従来のブロック鏝では、鏝板の直線部が円筒形容器の内周に弦のごとく接し、該容器内周が成す円弧と該鏝板直線部が成す弦の間に形成される空間から可塑性材料が漏出する。さらに、ブロック鏝では鏝板先端に曲線部を有するものの、該曲線部の半径が円筒形容器内周と同一半径でない限り、鏝板と円筒形容器内周は点で接するのみであって、可塑性材料を掬い取ることが困難である。
また、鏝板自体に可撓性がないので、鏝板先端部をしならせ、円筒形容器底部のふち付近に溜まった可塑性材料を掻き出すことも困難である。【０００６】  従来のレンガ鏝では、鏝板に曲線部を有するものの、該曲線部の半径が円筒形容器内周と同一半径でない限り、鏝板と円筒形容器内周は点で接するのみであって、レンガ鏝においても円筒形容器の底に溜まった可塑性材料を掬い取ることが困難である。また、レンガ鏝では鏝板先端が剣先形状を有し、円筒形容器内周に対して鏝板と円筒形容器内周は点で接するのみであって、可塑性材料を掬い取ることが困難である。
さらに、従来のブロック鏝と同様に鏝板自体に可撓性がないので、鏝板先端部あるいは曲線部をしならせ、容器底部のふち付近に溜まった可塑性材料を掻き出すことも困難である。【０００７】  また、従来のへらでは、へら板に可撓性を有するものの、へら板の直線部が円筒形容器の内周に弦のごとく接し、該容器内周が成す円弧と該へら板直線部が成す弦の間に形成される空間から可塑性材料が漏出する。【０００８】  上記のような円筒形容器の底部のふち付近に溜まった可塑性材料は、最終的に廃棄処分になり、コスト増につながる。
本考案は上記課題を解決するものである。
【課題を解決するための手段】
【０００９】  本考案は、左官用へらにおいて、図３に示すような、従来の略半円形または略半楕円形の左右両頂部を直線で接続したへら板の形状を、該直線部を略半円形にして、かつ、把柄取付部と略半円形であるへら板先端の間の把柄取付部から約４分の１の箇所を始点として、へら板先端へ掛けてへら板の厚みが漸進的に薄くなるよう、へら板に研磨を施すことによって上記課題を解決する。
【考案の効果】
【００１０】  本考案の左官用へらは、へら板の先端が略半円形であるため、攪拌時の材料抵抗を軽減する。さらに、該円筒形容器内周に対しても点で接するのみならず、上記のようにへら板を研磨することにより、へら板先端部に可撓性を付与することができ、へらに上方から力を加えることによって、へら板先端部がしなって、該円筒形容器の底板にへら板の先端部が添うことが可能になり、該円筒形容器の底部のふち付近に溜まった可塑性材料を余すところなく掻き出し、掬い取ることができる。
【考案を実施するための形態】
【００１１】  本考案は、左官用へらにおいて、従来の略半楕円形の左右両頂部を直線で接続したへら板の形状を、該直線部を略半円形にして、かつ、把柄取付部と略半円形であるへら板先端の間の把柄取付部から約４分の１の箇所を始点として、へら板先端へ掛けてへら板の厚みが漸進的に薄くなるよう、へら板に研磨を施した形状にする。
【実施例】
【００１２】  本考案を図において説明すると、図４に示すとおり、へら板の先端形状を略半円形にし、図５に示すとおり、へら板に、把柄取付部とへら板先端の間の把柄取付部から約４分の１の箇所を始点として、へら板先端へ掛けて板の厚みが漸進的に薄くなるよう、研磨を施す。【００１３】  本考案を用いて円筒形容器底部のふち付近に溜まった可塑性材料を掻き出す場合、図７，８に示すとおり、へら板先端部がしなって、該可塑性材料を掻き出すことができる。
【図面の簡単な説明】
【００１４】
【図１】従来のブロック鏝の斜視図である。
【図２】従来のレンガ鏝の斜視図である。
【図３】従来の左官用へらの斜視図である。
【図４】本考案の左官用へらの正面図である。
【図５】本考案の左官用へらの側面図である。
【図６】本考案の斜視図である。
【図７】本考案の左官用へらのへら板を円筒形容器底部のふち付近でしならせた斜視図である。
【図８】本考案の左官用へらのへら板を円筒形容器底部のふち付近でしならせたＡ−Ａ断面図である。
【符号の説明】
【００１５】１      従来のブロック鏝の鏝板
１ａ    従来のブロック鏝の鏝板の直線部
１ｂ    従来のブロック鏝の鏝板の先端部
２      従来のレンガ鏝の鏝板
２ａ    従来のレンガ鏝の鏝板の曲線部
２ｂ    従来のレンガ鏝の鏝板の先端部
３      従来の左官用へらのへら板
３ａ    従来の左官用へらのへら板の直線部
３ｂ    従来の左官用へらのへら板の両端角部
４      本考案の左官用へらのへら板
４ａ    本考案の左官用へらのへら板の先端部
４ｂ    本考案の左官用へらのへら板の研磨部
５      本考案の左官用へらの把柄
６      円筒形容器
【図１】
0003171455.tif 000003
【図２】
0003171455.tif 000004
【図３】
0003171455.tif 000005
【図４】
0003171455.tif 000006
【図５】
0003171455.tif 000007
【図６】
0003171455.tif 000008
【図７】
0003171455.tif 000009
【図８】
0003171455.tif 000010